(57)【要約】【課題】帯電部材やイオン化手段を別途設ける必要がなく、かつ、帯電しない塵埃も十分に捕捉することを可能とする。【解決手段】掃除機本体２を床面Ｆ上で押し進めることで床面Ｆ上の塵埃Ｄを捕捉する静電気式掃除機１であって、第１回転体１６の外周面に起毛１５が設けられ、起毛１５が床面Ｆに接触した状態で摺動することで該起毛１５が摩擦帯電する集塵手段１０と、集塵手段１０に静電付着した塵埃を、接触帯電により発生した静電気によって剥ぎ取る第２回転体２０と、第１回転体１６及び第２回転体２０を回転駆動する駆動手段３０と、を備え、第１回転体１６は、床面Ｆに対し掃除機本体２を押し進める方向に回転される。【選択図】図２
2015084993.tif 000002
【特許請求の範囲】
【請求項１】
掃除機本体を床面上で押し進めることで床面上の塵埃を捕捉する静電気式掃除機であって、
第１回転体の外周面に起毛が設けられ、前記起毛が床面に接触した状態で摺動することで該起毛が摩擦帯電する集塵手段と、
前記集塵手段に静電付着した塵埃を、接触帯電により発生した静電気によって剥ぎ取る第２回転体と、
前記第１回転体及び前記第２回転体を回転駆動する駆動手段と、を備え、
前記第１回転体は、前記床面に対し前記掃除機本体を押し進める方向に回転されることを特徴とする静電気式掃除機。
【請求項２】
請求項１に記載の静電気式掃除機であって、
前記第２回転体には、前記第２回転体の表面に接触して摩擦帯電させる帯電用部材が配置されていることを特徴とする静電気式掃除機。
【請求項３】
請求項１または請求項２に記載の静電気式掃除機であって、
前記第２回転体に付着した塵埃をダストボックス内に掻き落す掻き落し手段を備えたことを特徴と静電気式掃除機。
【請求項４】
請求項１から請求項３までのいずれか一つに記載の静電気式掃除機であって、
前記第２回転体は、前記第１回転体と同方向に回転されることを特徴とする静電気式掃除機。
【請求項５】
請求項１から請求項４までのいずれか一つに記載の静電気式掃除機であって、
前記第２回転体の帯電電位は前記第１回転体の帯電電位より高いことを特徴とする静電気式掃除機。
【請求項６】
請求項１から請求項５までのいずれか一つに記載の静電気式掃除機であって、
前記第１回転体は導電性部材で構成され、前記第２回転体は絶縁性部材で構成されていることを特徴とする静電気式掃除機。
【請求項７】
請求項６に記載の静電気式掃除機であって、
前記第１回転体はアースに接続されていることを特徴とする静電気式掃除機。
【請求項８】
請求項１から請求項７までのいずれか一つに記載の静電気式掃除機であって、
前記掃除機本体を押し進める方向に関して前記第１回転体の前方位置にダストボックスを設け、該ダストボックス内に静電気で付着しない床面の塵埃が、前記起毛によって掻き上げられて収拾されることを特徴とする静電気式掃除機。
【発明の詳細な説明】
【技術分野】
【０００１】
本発明は、掃除機本体を床面上で押し進めることで床面上の塵埃を捕捉する静電気式掃除機に関する。
【背景技術】
【０００２】
従来から静電気式掃除機が提案されている（例えば、特許文献１〜３等参照）。
【０００３】
特許文献１には、絶縁材料から成形され表面にブラシ及び／又はブレードが定着されたベルト部を有するベルト状回転ブラシと、ベルト部を回転させるための１以上の駆動用ローラと、駆動用ローラを駆動させるための動力機構と、絶縁体材料と異なる絶縁体材料から成形されベルト部と圧接して配設されている帯電部材と、を有する静電気式掃除機が開示されている。
【０００４】
また、特許文献２には、床面の塵埃が取り込まれる塵埃取り込み口と、塵埃取り込み口からの塵埃が収容される塵埃捕集部と、塵埃取り込み口に設置され、床面の塵埃を掻き上げてこれを塵埃捕集部に導入する回転ブラシと、塵埃捕集部の塵埃取り込み口側に対向配置され、塵埃取り込み口から取り込まれる塵埃をイオン化する放電用陽極および放電用陰極と、塵埃捕集部に配置され、イオン化された塵埃を電気的に吸着する吸着用陽極および吸着用陰極と、放電用陽極、放電用陰極、吸着用陽極および吸着用陰極に高電圧を印加する高電圧発生回路とを有する静電気式掃除機が開示されている。
【０００５】
また、特許文献３には、外面に帯電層を有する筒状の集塵体と、集塵体を回転させる回転手段と、集塵体の帯電層に静電気を発生させる帯電手段と、集塵体上の静電気を除去する放電手段と、帯電手段により静電気が発生した集塵体を床面に対向させて回転させ、集塵体に付着したごみを、放電手段により静電気を除去した後回収する集塵手段と、を有する静電集塵機が開示されている。
【先行技術文献】
【特許文献】
【０００６】
【特許文献１】特開２００１−２６９３０１号公報
【特許文献２】特開２００１−７８９３９号公報
【特許文献３】特開平１１−５６７３１号公報
【発明の概要】
【発明が解決しようとする課題】
【０００７】
特許文献１に記載の静電気式掃除機によれば、ベルト部を帯電させるための帯電部材が別途必要となるといった問題があった。
【０００８】
また、特許文献２に記載の静電気式掃除機によれば、回転ブラシによって掻き上げられた塵埃を、内部に配置されているイオン発生手段によってイオン化している。すなわち、回転ブラシは単に床面上の塵埃を掻き上げているだけであり、イオン発生手段によって床面上の塵埃を静電付着するものではないため、集塵効果が十分ではないといった問題があった。
【０００９】
また、特許文献３に記載の静電集塵機によれば、集電体の外面の帯電層に静電気を発生させる帯電手段を別途設ける必要があるといった問題があった。また、帯電しない塵埃については捕捉することができず、集塵効果が十分でないといった問題もあった。
【００１０】
本発明はかかる問題点を解決すべく創案されたもので、その目的は、帯電部材やイオン化手段を別途設ける必要がなく、かつ、帯電しない塵埃も十分に捕捉することのできる静電気式掃除機を提供することにある。
【課題を解決するための手段】
【００１１】
上記課題を解決するため、本発明の静電気式掃除機は、掃除機本体を床面上で押し進めることで床面上の塵埃を捕捉する静電気式掃除機であって、第１回転体の外周面に起毛が設けられ、前記起毛が床面に接触した状態で摺動することで該起毛が摩擦帯電する集塵手段と、前記集塵手段に静電付着した塵埃を、接触帯電により発生した静電気によって剥ぎ取る第２回転体と、前記第１回転体及び前記第２回転体を回転駆動する駆動手段と、を備え、前記第１回転体は、前記床面に対し前記掃除機本体を押し進める方向に回転されることを特徴としている。
【００１２】
この構成によると、床面の塵埃を効率よく帯電させるだけでなく、帯電した塵埃の床面からの引き剥がしや、帯電しない塵埃の床面からの掻き上げも行えるので、全ての塵埃を効率よく捕捉、収拾することができる。
【００１３】
また、本発明の静電気式掃除機では、前記第２回転体には、前記第２回転体の表面に接触して摩擦帯電させる帯電用部材が配置された構成とされている。
【００１４】
この構成によると、第２回転体を常に帯電状態に維持することができ、集塵手段である第１回転体の起毛に静電付着した塵埃を確実に捕捉、収拾することができる。
【００１５】
また、本発明の静電気式掃除機では、前記第２回転体に付着した塵埃をダストボックス内に掻き落す掻き落し手段を備えた構成とされている。
【００１６】
この構成によると、第２回転体の表面に付着した塵埃をダストボックス内に確実に掻き落すことができる。
【００１７】
また、本発明の静電気式掃除機では、前記第２回転体は、前記第１回転体と同方向に回転される構成とされている。
【００１８】
この構成によると、第１回転体の表面と第２回転体の表面との接触領域では、互いに逆方向に回転しながら接触するので、第１回転体に静電付着した塵埃を剥ぎ取って第２回転体側に確実に回収することができる。
【００１９】
また、本発明の静電気式掃除機では、前記第２回転体の帯電電位は前記第１回転体の帯電電位より高い構成とされている。
【００２０】
この構成によると、第１回転体の起毛に静電付着した塵埃を、より電位の高い第２回転体に静電気的に吸着させることで、集塵手段から塵埃を確実に剥ぎ取って回収することができる。
【００２１】
また、本発明の静電気式掃除機では、前記第１回転体は導電性部材で構成され、前記第２回転体は絶縁性部材で構成されている。
【００２２】
また、本発明の静電気式掃除機では、前記第１回転体はアースに接続された構成としている。
【００２３】
この構成によると、アース接続によって第１回転体の起毛の帯電状態が比較的短時間で解消される。そのため、第１回転体による電荷の蓄積を防止できるので、放電リスクを低減することができる。また、電荷の蓄積が飽和状態とならないので、集塵効果も低下することなく継続することになる。
【００２４】
また、本発明の静電気式掃除機では、起毛がある程度の剛性を有することによって、静電気で付着しない床面の塵埃は、前記起毛によって掻き上げられて、直接、前方位置のダストボックス内に収拾される構成とされている。
【００２５】
この構成によると、静電気的に付着しない例えば生ゴミや大きな埃等の塵埃も回収できるので、塵埃の回収率が向上する。
【発明の効果】
【００２６】
本発明の静電気式掃除機は上記のように構成したので、床面の塵埃を効率よく帯電させるだけでなく、帯電した塵埃の床面からの引き剥がしや、帯電しない塵埃の床面からの掻き上げも行えるので、全ての塵埃を効率よく捕捉、収拾することができる。
【図面の簡単な説明】
【００２７】
【図１】本発明の実施形態に係る静電気式掃除機の全体構成を示す斜視図である。
【図２】本発明の実施形態に係る静電気式掃除機の概略縦断面図である。
【図３】集塵ローラの拡大断面図である。
【図４】駆動手段の構成を示す掃除機本体の概略縦断面図である。
【図５】集塵手段の他の構成例を示す断面図である。
【図６】集塵ローラ及び剥ぎ取りローラの周辺部分を一部拡大して示す概略断面図である。
【発明を実施するための形態】
【００２８】
以下、本発明の実施の形態について、図面を参照して説明する。
【００２９】
図１は、本発明の実施形態に係る静電気式掃除機の全体構成を示す斜視図、図２は、本発明の実施形態に係る静電気式掃除機の概略縦断面図である。
【００３０】
本実施形態に係る静電気式掃除機１は、掃除機本体２を床面上で押し進めることで床面上の塵埃を捕捉する静電気式掃除機である。そのため、本実施形態の静電気式掃除機１は、掃除機本体２に操作ハンドル３が取り付けられている。操作ハンドル３は、掃除機本体２に対して前後方向（図中、Ｘ方向）に一定の角度範囲で回動自在となっており、この操作ハンドル３を把持して掃除機本体２を前後方向Ｘに押し進めたり引き戻したりすることで、床面Ｆ上の塵埃Ｄを捕捉するようになっている。
【００３１】
そのため、本実施形態に係る静電気式掃除機１は、第１回転体である集塵ローラ１６の外周面に起毛１５が設けられた集塵手段１０と、集塵手段１０に静電付着した塵埃を、接触帯電により発生した静電気によって剥ぎ取る第２回転体である剥ぎ取りローラ２０と、集塵ローラ１６及び剥ぎ取りローラ２０を回転駆動する駆動手段３０とを備えており、第１回転体１６は、床面Ｆに対し掃除機本体２を押し進める方向（図２中、Ｘ１方向）に回転（すなわち、Ｒ方向に回転）される構成となっている。
【００３２】
この構成によると、床面の塵埃を効率よく帯電させるだけでなく、帯電した塵埃の床面からの引き剥がしや、起毛１５にある程度の剛性を持たせることによって帯電しない塵埃の床面からの掻き上げも行えるので、全ての塵埃を効率よく捕捉、収拾することができる。
【００３３】
以下、各構成部材について詳細に説明する。
【００３４】
掃除機本体２は、中空の略直方体形状をなし、その左右側面１１の内側には、その前部と後部とにそれぞれ車輪１２が取り付けられている。車輪１２は、例えば導電性ゴムで形成されており、金属である車軸（図示省略）によって掃除機本体２に取り付けられている。
【００３５】
また、掃除機本体２の底面１３には、前後方向Ｘのほぼ中央部において、床面Ｆ上に散在している塵埃Ｄを取り込む取り込み口１４が設けられている。この取り込み口１４は、前後方向Ｘに直交する幅方向Ｙに長い長方形状であって、掃除機本体２の幅方向Ｙのほぼ全長に渡って設けられている。
【００３６】
この取り込み口１４には、外周面全体に渡って起毛１５が設けられた円柱形状の集塵ローラ（第１回転体）１６が配置されている。この集塵ローラ１６は、回転軸１７によって掃除機本体２の幅方向Ｙと平行に取り付けられている。すなわち、集塵ローラ１６の中心軸線に沿って設けられた回転軸１７の両端が、幅方向Ｙに沿って掃除機本体２の左右の側面１１，１１に回転自在に支持された構造となっている。
【００３７】
また、起毛１５は、先端部が取り込み口１４から床面Ｆ側に突出して設けられている（後述する図６参照）。その突出長さは、特に限定されるものではないが、長い方が塵埃の捕捉効率は向上する。また、起毛１５の材質は塵埃Ｄと反対極性に帯電し易いものが使用される。ここでは起毛１５は塵埃Ｄをプラスに帯電させ、自身はマイナスに帯電する材質が使用される。
【００３８】
本実施形態では、この起毛１５が床面Ｆに接触した状態で摺動することで、起毛１５が摩擦帯電するようになっている。より具体的に説明すると、起毛１５、塵埃Ｄ及び床Fとが摩擦することで、塵埃Ｄには電荷（本実施形態ではプラスの電荷）が与えられるため、起毛１５には塵埃Ｄとは逆極性の電荷（マイナスの電荷）が発生する。これにより、塵埃Ｄは起毛１５に静電付着して捕捉、収拾される。
【００３９】
上記の説明からも明らかなように、本実施形態では、起毛１５及び集塵ローラ１６を強制的（電気的）に帯電させるような帯電手段は設けられていない。
【００４０】
図３は、集塵ローラ１６の拡大断面図である。
【００４１】
集塵ローラ１６は、回転軸１７を有する円柱状（若しくは円筒状）の芯金１８を備え、この芯金１８の外周面を囲むようにして円筒状の第１導電層１９ａと第２導電層１９ｂとがこの順番で積層配置されている。そして、最外層の第２導電層１９ｂの表面全体に起毛１５が設けられている。
【００４２】
ここで、本実施形態では、芯金１８は例えばステンレス鋼で形成され、第１導電層１９ａは導電性のスポンジ材で形成され、第２導電層１９ｂは導電性の弾性材で形成されている。また、起毛１５は、例えば導電性アクリル樹脂繊維や導電性ポリエステル繊維等で形成され、多数の起毛１５からなるファーブラシとなっている。すなわち、導電性が付与された繊維を使用している。導電性付与剤としては、カーボンブラックを含有したカーボン系粉末や金属粉末などの使用が可能である。なお、芯金１８、第１導電層１９ａ、第２導電層１９ｂ、及び起毛１５は、少なくとも導電性の部材で形成されていればよく、上記材料は単なる一例であってこれらに限定されるものではない。
【００４３】
また、起毛１５は、帯電しない塵埃を掻き揚げるためにはある程度の剛性を有することが好ましい。起毛１５の剛性が低く塵埃の掻き上げ効果が十分に得られない場合には、起毛１５に、別途剛性の高い起毛（導電性の有無は問わない。）を混在して設けることにより、塵埃の掻き上げ機能を補足するようにしてもよい。
【００４４】
上記したように、起毛１５及び集塵ローラ１６は導電性の材料で形成されている。従って、起毛１５及び集塵ローラ１６に電荷が蓄積することで、電荷が飽和状態となり、やがては放電が発生する可能性がある。放電は、芯金１８の両端から発生する可能性が高い。また、放電によって障害電波を発生する可能性もある。さらに、起毛１５及び集塵ローラ１６の電荷が飽和状態になると、それ以上は帯電できなくなり、掃除の精度が低下する可能性がある。
【００４５】
そのため、本実施形態では、集電手段はアースに接続されている。図面には具体的な図示を省略するが、アースの経路としては、起毛１５から第１導電層１９ａ、第２導電層１９ｂ、芯金１８、回転軸１７、回転軸１７を受けている金属または導電性樹脂からなる軸受け部（図示省略）、軸受け部を保持する導電性樹脂で形成されている掃除機本体２、掃除機本体２に取り付けられている金属である車軸（図示省略）、車軸に支持されている導電性ゴムである車輪１２を介して地面（この場合は床面Ｆ）に接地されるように構成している。ただし、アースの経路はこのような経路に限るものではない。例えば、芯金１８から直接床面Ｆに接地するように、芯金１８と床面Ｆとの間にアース線を配置してもよい。また、可能であれば、芯金１８から操作ハンドル３の把持部３ａまでアース線を延長し、ユーザが把持部３ａを把持することで、ユーザを介してアースするようにしてもよい。
【００４６】
図２に戻って、第２回転体である剥ぎ取りローラ２０は、集塵ローラ１６と同様、円柱形状に形成されており、少なくとも起毛１５（場合によってはさらに集塵ローラ１６）と接触して回転する回転ローラである。従って、剥ぎ取りローラ２０は、該剥ぎ取りローラ２０の中心軸線に沿って設けられた回転軸２１が、集塵ローラ１６の回転軸１７と平行に取り付けられている。すなわち、剥ぎ取りローラ２０の回転軸２１の両端が、掃除機本体２の左右の側面１１，１１に回転自在に支持された構造となっている。また、剥ぎ取りローラ２０の回転方向は、集塵ローラ１６と同様、右回転（図２中、Ｒ方向の回転）となっている。そのため、集塵ローラ１６と剥ぎ取りローラ２０との接触領域では、互いの回転方向が逆方向となっている。このように、接触領域では集塵ローラ１６と剥ぎ取りローラ２０とが互いに逆方向に回転しながら接触することで、集塵ローラ１６の起毛１５に静電付着した塵埃を、起毛ローラよりも帯電電位が高い剥ぎ取りローラ２０によって確実に剥ぎ取ることができる。なお、集塵ローラ１６と剥ぎ取りローラ２０とを回転駆動する駆動手段３０については後述する。
【００４７】
また、剥ぎ取りローラ２０には、剥ぎ取りローラ２０の表面に接触して摩擦帯電させる帯電用部材２２が設けられている。帯電用部材２２は、掃除機本体２内の部材保持部２３によって固定的に保持されている。
【００４８】
この構成によると、剥ぎ取りローラ２０を常に帯電状態に維持することができ、集塵手段１０である集塵ローラ１６及び起毛１５に静電付着した塵埃を剥ぎ取りローラ２０によって確実に捕捉、収拾することができる。
【００４９】
ここで、本実施形態では、剥ぎ取りローラ２０はフッ素系樹脂によって形成されている。具体的には、ＰＦＡ（テトラフルオロエチレン・パーフルオロアルキルビニルエーテル共重合体）、ＰＴＦＥ（ポリテトラフルオロエチレン）、ＦＥＰ（テトラフルオロエチレン・ヘキサフルオロプロピレン共重合体）、ＥＴＦＥ（テトラフルオロエチレン・エチレン共重合体）、ＰＶＤＦ（ポリビニリデンフルオライド）、ＰＣＴＦＥ（ポリクロロトリフルオロエチレン）、ＥＣＴＦＥ（クロロトリフルオロエチレン・エチレン共重合体）等の使用が可能である。また、帯電用部材２２は、例えばナイロンによって形成されている。
【００５０】
集塵手段１０では、電荷の発生、移動があるため、電荷蓄積防止のためにアースに接続しているが、剥ぎ取りローラ２０は帯電している状態を利用しているため、一度帯電してしまえば電荷の蓄積はない。仮に、電荷が蓄積したとしても、剥ぎ取りローラ２０はフッ素系樹脂であり、絶縁性材料であるため、放電の発生は起こりにくい。そのため、剥ぎ取りローラ２０はアースに接続する必要がない。また、剥ぎ取りローラ２０の帯電は起毛１５と同じ極性で、起毛１５の帯電電位よりも高くすることで、静電付着した塵埃Ｄを起毛１５より剥ぎ取るに充分に帯電させることができる。
【００５１】
また、剥ぎ取りローラ２０には、その表面に付着した塵埃を、掃除機本体２内のダストボックス５０内に掻き落とすための掻き落とし手段であるゴムブレード４０が設けられている。ゴムブレード４０は、長方形状に形成されており、その長辺側の一辺が、剥ぎ取りローラ２０の軸芯方向に沿って平行に配置され、かつ、剥ぎ取りローラ２０の表面に当接している。また、ゴムブレード４０は、剥ぎ取りローラ２０表面の接線方向に対し、回転方向Ｒの上流側に向かって鋭角（例えば、３０度等）となるように配置されている。このように配置されるゴムブレード４０は、掃除機本体２内のブレード保持部４１によって固定的に保持されている。
【００５２】
この構成により、剥ぎ取りローラ２０の表面に付着した塵埃をダストボックス５０内に確実に掻き落すことができる。
【００５３】
なお、本実施形態では、集塵ローラ１６の径に対して剥ぎ取りローラ２０の径を大きくしており、また、ゴムブレード４０の配置位置も、集塵ローラ１６から前後方向Ｘに離れた位置に配置している。これは、剥ぎ取りローラ２０の径が小さいと、ゴムブレード４０による掻き取り位置が、集塵ローラ１６から前後方向Ｘに十分に距離を隔てることができないため、ダストボックス５０内に落ちた塵埃が再び起毛１５や集塵ローラ１６に静電気的に引き寄せられて再付着する可能性があるからである。従って、ゴムブレード４０を集塵ローラ１６から十分離すために、剥ぎ取りローラ２０の径は、集塵ローラ１６の径に対して十分大きくしておくことが好ましい。
【００５４】
ダストボックス５０は、ゴムブレード４０の下部に、塵埃を収拾するための開口部５１が位置するように配置されている。この開口部５１は、掃除機本体２の底面１３に設けられた塵埃Ｄの取り込み口１４と対峙するように、掃除機本体２の幅方向Ｙのほぼ全長に渡って設けられている。また、このダストボックス５０は、掃除機本体２の取り込み口１４より前方側（押し進める方向Ｘ１側）に設けられており、開口部５１の下端縁部５１ａは、取り込み口１４の前側縁部１４ａに向かって下方に傾斜するように設けられている。このように、開口部５１の下端縁部５１ａを傾斜面とすることで、集塵ローラ１６の起毛１５によって床面Ｆから掻き上げられた静電付着しない塵埃（例えば、生ゴミ等）Ｄは、下端縁部５１ａに当たることなく、開口部５１を通ってダストボックス５０内に収拾されることになる。
【００５５】
このように、本実施形態の静電気式掃除機１では、静電気で付着しない床面Ｆ上の塵埃Ｄは、起毛１５によって掻き上げられてダストボックス５０に収拾される構成となっている。これにより、静電気的に付着しない例えば生ゴミ等の塵埃も収拾できるので、塵埃の回収率が向上する。
【００５６】
なお、図示は省略しているが、このダストボックス５０は、掃除機本体２の例えば前面または上面または側面または前面と上面の両方を開放することで、掃除機本体２に対して着脱可能となっている。
【００５７】
また、上記したように、起毛１５は、導電性アクリル樹脂繊維や導電性ポリエステル繊維等で形成され、剥ぎ取りローラ２０はフッ素系樹脂によって形成されている。周知の如く、導電性アクリル樹脂繊維や導電性ポリエステル繊維、フッ素系樹脂等は、摩擦帯電列によればいずれもマイナスになり易い材料であり、その帯電電位は、導電性アクリル樹脂繊維や導電性ポリエステル繊維の帯電電位より、フッ素系樹脂の帯電電位の方がマイナス側に高くなる。一方、ここで捕捉、収拾される塵埃は、一般的には人毛、毛皮、羊毛、ナイロン、レーヨン、木綿、麻、木材等、帯電摩擦によってプラスになり易い材料である。
【００５８】
従って、起毛１５や集塵ローラ１６に静電付着した塵埃は、よりマイナス側に電位の高い剥ぎ取りローラ２０に静電付着されることになる。また、集塵ローラ１６は、アースに接続されているため、簡単に電荷が拡散され、その帯電状態は比較的短時間で解消される。つまり、床面上の塵埃を静電付着した起毛１５や集塵ローラ１６は、剥ぎ取りローラ２０と接触するころには、帯電状態が解消、または解消されつつあるため、塵埃の付着力も低下している。そのため、上記した電位の差とも相俟って、起毛１５や集塵ローラ１６に静電付着した塵埃のほぼ全てが剥ぎ取りローラ２０側に剥ぎ取られて静電付着されることになる。
【００５９】
図４は、駆動手段３０の構成を示す掃除機本体２の概略縦断面図である。ただし、図４ではダストボックス５０の図示を省略している。
【００６０】
駆動手段３０は、掃除機本体２内の後部側に配置された駆動モータ３１と、駆動モータ３１の駆動軸に連結された駆動ギヤ３２と、駆動ギヤ３２に噛合された中間ギヤ３３と、集塵ローラ１６の回転軸１７に連結された第１ギヤ１７ａと、剥ぎ取りローラ２０の回転軸２１に連結された第２ギヤ２１ａとで構成され、中間ギヤ３３が、第１ギヤ１７ａと第２ギヤ２１ａの双方に噛合されている。すなわち、一系統の駆動手段で、集塵ローラ１６と剥ぎ取りローラ２０の２つのローラを回転駆動する構成となっている。また、第１ギヤ１７ａと第２ギヤ２１ａが同じ中間ギヤ３３と噛合することで、集塵ローラ１６と剥ぎ取りローラ２０とは上記した如く同じ方向（Ｒ方向）に回転駆動されるとともに、その接触領域では、互いに逆方向の回転となっている。
【００６１】
なお、駆動モータ３１は、充電池３５（図１参照）を電源として駆動される。充電池（充電式乾電池）３５は、本実施形態では、操作ハンドル３の上部であって、把持部３ａの下側に取り付けられている。把持部３ａの下側に取り付けておくことで、充電のための取り外し作業や充電後の取り付け作業が容易となる。なお、充電池３５は着脱式、固定式に関わらず、操作ハンドル３に取り付けられた状態のままで商用電源に接続することで充電するようにしてもよい。また、充電地３５の取り付け位置は、掃除機本体２の内部であってもよい。
【００６２】
また、駆動モータ３１をオン／オフ制御するスイッチは、図示は省略しているが、把持部３ａの近傍に設けておけばよい。
【００６３】
図５は、集塵ローラの他の構成例を示す断面図である。
【００６４】
図５に示す集塵ローラ１６ａは、回転軸１７を有する円柱状（若しくは円筒状）の芯金１８の表面全体に起毛１５が直接設けられた構成となっている。そのため、この集塵ローラ１６ａでは、起毛１５の長さが長くなっている。なお、集塵ローラ１６と同様、芯金１８は例えばステンレス鋼で形成され、起毛１５は、例えば導電性アクリル樹脂繊維や導電性ポリエステル繊維等で形成されている。
【００６５】
次に、上記構成の静電気式掃除機１について、図６を参照してその動作を説明する。ただし、集塵ローラについては、図２及び図３に示した集塵ローラ１６として説明する。また、図６は、集塵ローラ１６及び剥ぎ取りローラ２０の周辺部分を一部拡大して示す概略断面図である。
【００６６】
ユーザが駆動モータ３１の図示しないスイッチをオンにすると、駆動モータ３１が回転駆動を開始し、これに伴って集塵ローラ１６と剥ぎ取りローラ２０とがＲ方向に回転駆動を開始する。
【００６７】
ユーザは、この状態で掃除機本体２を前後方向に押し進めたり引き戻したりを繰り返しながら、床面Ｆを掃除する。
【００６８】
このとき、集塵ローラ１６に植毛されている起毛１５もＲ方向に回転を開始し、床面Ｆに接触するときには、回転後方側に大きく湾曲されて床面Ｆに強く摺接される。特に、掃除機本体２を押し進めるとき（図中、Ｘ１方向へ摺動させるとき）には、起毛１５の回転方向と掃除機本体２を押し進める方向とが同方向であるため、起毛１５にはより大きな力が加わり、帯電量が増加する。従って、起毛１５の摩擦によって床面Ｆ上に散在している塵埃Ｄをプラス側に帯電させて浮かせ、浮かせた塵埃Ｄは、マイナス側に帯電している集塵ローラ１６に静電気的に引き寄せられ、静電気によって付着する。
【００６９】
起毛１５及び集塵ローラ１６に静電付着した塵埃Ｄは、帯電用部材２２によってマイナス側に帯電している剥ぎ取りローラ２０に摩擦帯電して付着し、ゴムブレード４０により剥ぎ取りローラ２０の表面に付着した塵埃Ｄを掻き落として、ダストボックス５０内に収拾する。
【００７０】
一方、静電付着しない生ゴミ等の塵埃Ｄａは、起毛１５によって床面Ｆから掻き上げられ、開口部５１を通ってダストボックス５０内に直接収拾される。
【００７１】
なお、掃除機本体２を引き戻すときには、起毛１５の回転方向と掃除機本体２を引き戻す方向とが逆方向であるため、起毛１５には小さな力しか加わらず、帯電量は減少する。その結果、掃除機本体２を引き戻すときの塵埃の捕捉・収拾力は低下するが、全く収拾できないわけではない。また、本実施形態の静電気式掃除機１では、掃除機本体２を押し進めることで塵埃を捕捉、収拾することを前提としている。従って、引き戻すときに塵埃が十分に捕捉、収拾されなくても、特に問題はない。
【００７２】
本発明は、その精神または主要な特徴から逸脱することなく、他のいろいろな形で実施することができる。そのため、上述の実施の形態はあらゆる点で単なる例示にすぎず、限定的に解釈してはならない。本発明の範囲は請求の範囲に示すものであって、明細書本文には、なんら拘束されない。さらに、請求の範囲の均等範囲に属する変形や変更は、全て本発明の範囲内のものである。
【産業上の利用可能性】
【００７３】
本発明は、掃除機本体を床面上で押し進めることで床面上の塵埃を捕捉する静電気式の掃除機全般に寄与するところは大きい。
【符号の説明】
【００７４】
１  静電気式掃除機
２  掃除機本体
３  操作ハンドル
３ａ  把持部
１０  集塵手段
１１  側面
１２  車輪
１３  底面
１４  取り込み口
１５  起毛
１６  集塵ローラ（第１回転体）
１７  回転軸
１７ａ  第１ギヤ
１８  芯金
１９ａ  第１導電層
１９ｂ  第２導電層
２０  剥ぎ取りローラ（第２回転体）
２１  回転軸
２１ａ  第２ギヤ
２２  帯電用部材
２３  部材保持部
３０  駆動手段
３１  駆動モータ
３２  駆動ギヤ
３３  中間ギヤ
３５  充電池
４０  ゴムブレード
４１  ブレード保持部
５０  ダストボックス
５１  開口部
５１ａ  下端縁部
Ｄ，Ｄａ  塵埃
Ｆ  床面
【図１】
2015084993.tif 000003
【図２】
2015084993.tif 000004
【図３】
2015084993.tif 000005
【図４】
2015084993.tif 000006
【図５】
2015084993.tif 000007
【図６】
2015084993.tif 000008